(57)【特許請求の範囲】
【請求項１】
製筒器への帯状フイルム供給軌道に対して軸線が交差する状態に配置した軸ロータと、前記軸ロータの回りに固定した環状母体と、前記軸ロータの軸線に沿って前記環状母体に対し接近、離反自在な操作環と、前記環状母体に一端を固定し且つ他端を前記操作環付随のスリーブを貫通して突き出しかつ上端に固定ブラケットを持つ第１スピンドルと、前記固定ブラケットにおける縦割り状の隙間に配置する鈎類似形のナイフと、前記ナイフを、前記第１スピンドルに形成する縦長穴を貫通する第１ピンを介して前記スリーブに揺動自在に支持すると共に、前記ナイフ側面に突き出る第２ピンを係合する前記固定ブラケットでの傾斜状案内スリットと、前記操作環における第１スピンドル貫通スリーブの係合スリットと、環状母体から前記操作環を貫通する第２スピンドルヘットの係合スリットとを、前記軸ロータと同心円の長孔状の円弧形スリットとして形成する一方、前記操作環における前記円弧形スリットの第２スピンドルヘット係合面に高低２段の段差を形成すると共に、環状母体と操作環との間に張りばねを介設し、前記操作環の回転操作で前記円弧形スリットの高低段差における前記第２スピンドルヘットの係合位置を変更し、もって同操作環を、前記張りばねの張力により前記環状母体から離反させることにより、前記スリーブに第１ピンを介して枢支する前記ナイフを押し上げて同ナイフが備える前記第２ピンの、前記固定ブラケットにおける傾斜状案内スリットでのスライドによって、通常前記軸ロータ外側にセットした前記ナイフを、前記第１ピンを軸にして傾け前記軸ロータ内に隠蔽するようにした装置。
【発明の詳細な説明】
【０００１】
【発明の属する技術分野】
本発明は、製袋充填包装機に対して送り込む製袋用帯状フイルムに一定間隔で開封用の切れ目を形成する装置に関する。
【０００２】
【発明が解決しようとする課題】
製袋充填包装機によって生み出される包装体は、それを開封するために予めフイルムの時点で切れ目を加工する。一般的には前記帯状フイルムの供給軌道に設置した軸ロータ周面にナイフを設け、前記フイルムのカットピッチと一致するサイクルで前記軸ロータの回転をコントロールすることにより、結果的に各包装体はそれぞれ１個所の切れ目を備えることになる。しかしながら新しいフイルムを包装機に装着するとき等、前記軸ロータから突き出るナイフは作業員にとって危険、という問題がある。
【０００３】
【その解決手段】
そこで本発明は、製筒器への帯状フイルム供給軌道に配置した軸ロータと、前記軸ロータの回りに固定した環状母体と、前記環状母体に対し接近、離反自在な操作環と、前記環状母体から前記操作環付随のスリーブを貫通して突き出し且つ先端に固定ブラケットを持つ第１スピンドルと、前記スリーブに第１ピンを介して揺動自在に支持する鈎類似形のナイフと、前記ナイフ側面に突き出る第２ピンを係合する固定ブラケットでの案内スリットとにより構成する。
【０００４】
軸ロータに固定する環状母体に対し、同軸ロータの軸線に沿って操作環を接近または離反するように変位操作することができ、かかる変位操作により環状母体が支える第１スピンドル先端の固定ブラケットと、前記操作環付随のスリーブとの間隔が変化し、かかる間隔変化でもってスリーブに第１ピンを介して揺動自在に支持する鈎類似形のナイフは、前記軸ロータ外側セット位置から同軸ロータ内に隠蔽する。
【０００５】
【発明の実施形態】
図２に示す製袋充填包装機は、駆動ロール１０によって引き出す帯状フイルム１１を製筒器１２でもって丸めると共に、丸めたフイルムの両側縁合掌部を一対のセンターシールローラ１３で溶着する一方、供給コンベヤ１４でもって縦列等間隔の被包装物１５を順次チューブフイルム１６内に搬入したあと、上下一対のシールバー１７、１８で前記チューブフイルム１６をカットシールする構造であり、切れ目形成用の軸ロータ２０は、前記フイルムの供給軌道に設置しており、その詳細は下記のごとくである。
【０００６】
すなわち図３に示すごとく、両側サイド壁２１に回転自在に支持する前記の軸ロータ２０は、その一方の端に形成する隙穴２２からナイフ２３が覗き、サーボモータ２４の動力で回転する軸ロータ２０は、１回転ごとに、移動するフイルム１１の側縁に等間隔に切り目を形成する。かかる切れ目は、フイルム１１が包装を完了したあとの開封用として機能する。図２のシールバー１７によるフイルムのカットピッチを変更したときは、それに合せてサーボモータ２４は軸ロータ２０の回転サイクルをコントロールする。
【０００７】
前記ナイフを軸ロータに隠匿する構成の詳しくは図１のごとくである。前記軸ロータ２０は内部が中空であり、その端部を、サイド壁２１に固定する支持ピン２５とボールベアリング２６を介して支持し、周囲に２種類の環状物を配置する。すなわち一方の環状母体３１はセットボルト(図示省略)で前記の軸ロータ２０に固定する。他方の操作環３２は前記軸ロータ２０に対し回転方向または軸方向いずれにもスライド自在で、前記両環状物３２と軸ロータ２０との関係は図４に示すごとくであるが、詳しくは後述する。
【０００８】
図５は、前記の環状母体３１に固定する第１スピンドル３５の単体構成で、同スピンドル上端にピン３６を通して固定するブラケット３７は、傾斜状の案内スリット３８を形成する。図６の上面に示すごとく第１スピンドル３５及び固定ブロック３７は、後述するナイフ収納用の隙穴３９を備える。
【０００９】
図１において環状母体３１は、その上面に前記の第１スピンドル３５をビス４０で締め込んで立設する。この場合前記第１スピンドル３５は、操作環３２に付随するスリーブ４１の中心穴を貫通すると共に、環状母体３１と操作環３２との間に設置する張りばね４２が両環状物を相対的に離反する方向に付勢し、環状母体３１にビス４３で固定した第２スピンドルヘット４４が、前記のばねによる両環状物の離反力に抵抗する。
【００１０】
図４のごとく操作環３２における第１スピンドル３５及びスリーブ４１が貫通する穴４５及び、第２スピンドルヘット４４が貫通する穴４６を、それぞれ円弧形スリット、つまり長穴により形成する。従ってこれら円弧形スリット４５、４６の長さの範囲で操作環３２は、環状母体３１に対して回転自在である。しかも前記円弧スリットを直線図示した図７のごとく、第２スピンドルヘット４４が係合するスリット４６は高い面４７と、低い面４８とからなる２段の高低差を備える。このため操作環３２を矢印方向に回転操作することにより、図８のごとく回転エンドでヘット４４は低落差部４８に沈み込み、張りばね４２の張力は操作環３２を環状母体３１から浮上させ、かかる作用は下記のごとくナイフを揺動させる。
【００１１】
図９に示す鈎類似形ナイフ２３は、図６で既に説明したスピンドル３５及び固定ブロック３７のスリット３９の中に設置する。また図９においてスリーブ４１を横方向に貫通し且つナイフ２３の下端を支える第１ピン５０は、図５における第１スピンドルの縦長穴５１内に配置する。このため図９で第１ピン５０は縦長穴５１内で上下動自在であり第１スピンドル３５に対しスリーブ４１は上下に変位可能である。そこで操作環３２の回転で第１０図矢印のごとくスリーブ４１と一体に第１ピンを上方向に持ち上げると、ナイフ２３から突き出る第２ピン５２は固定ブロック３７の斜め案内スリット３８を滑って変位し、ナイフ２３を傾ける。つまり図１のことく通常軸ロータ２０から突き出るナイフ２３は、前記作用でもって軸ロータ２０内に隠匿されるのである。
【００１２】
これまでの説明で理解できるように、操作環３２は必ずしも回転方向への操作で上下に変位するものでなくとも、軸ロータ２０の軸線に沿って直接的に変位させてもよく、この場合同操作環３２の上下限位置でのセットは、例えばセットボルトを保持用として使用する。
【００１３】
図３に示すごとく軸ロータ２０と平行配置する操作ねじ棒６０に、雌ねじを形成する可動子６２を係合すると共に、前記可動子からの突片６３を、前記環状母体周囲の輪溝６４に係合する。かかる実施例で突片６３は環状母体３１の回転を阻害せず、同環状母体３１の位置保持を行なうもので、ハンドル６５によるねじ棒６０の回転操作で可動子６２及び環状母体３１を変位することにより、ナイフ２３はフイルム１１の幅員に応じてその位置を変化する。
【図面の簡単な説明】
【図１】  主要部分の断面図
【図２】  製袋充填包装機の側面図
【図３】  前図の部分的平面図
【図４】  環状変位体の正面図
【図５】  第１スピンドルの側面図
【図６】  前図の平面図
【図７】  図４におけるVII−VII線断面の直線的展開図
【図８】  前図の作用説明図
【図９】  ナイフ作動機構の側面図
【図１０】  前図の作用説明図
【符号の説明】
１１…帯状フイルム
１２…製筒器
２０…軸ロータ
２２…隙穴
２３…ナイフ
２４…サーボモータ
３１…環状母体
３２…操作環
３５…第１スピンドル
３７…固定ブロック
３８…案内スリット
４０…ビス
４１…スリーブ
４２…張りばね
４４…第２スピンドルヘット
４５、４６…円弧形スリット
４８…低部落差
５０…第１ピン
５１…縦長穴
５２…第２ピン
６０…操作ねじ棒
６２…可動子
６３…突片
６４…輪溝
【図１】
0003825966.tif 000002
【図２】
0003825966.tif 000003
【図３】
0003825966.tif 000004
【図４】
0003825966.tif 000005
【図５】
0003825966.tif 000006
【図６】
0003825966.tif 000007
【図８】
0003825966.tif 000008
【図９】
0003825966.tif 000009
【図１０】
0003825966.tif 000010
【図７】
0003825966.tif 000011